(57)【要約】【課題】光学素子媒体の判別作業を目視による観察や、特別な専用識別装置を用いることもなく、簡便に実施することを目的とする。【解決手段】少なくとも撮像部と、発光性を有する表示部とを備えた識別装置で、前記表示部において、任意の形状で局所のみ表示させる表示部位を複数設定し、前記撮像部と前記表示とを、共に光学素子媒体に対して対向配置し、前記複数設定された表示部位の少なくとも１つ毎を、順次表示させながら、前記撮像部により光学素子媒体を撮像し、撮像された光学素子媒体の画像から特徴点を抽出し、順次表示された表示部位に応じた前記特徴点の変化情報を取得する。【選択図】図１
2019144987.tif 000002
【特許請求の範囲】
【請求項１】
光学素子媒体を識別装置によって判別する方法であって、
前記識別装置が、画像を取得する撮像部と、発光性を有する表示部とを、少なくとも備え、
前記表示部において、任意の形状で局所のみ表示させる表示部位を複数設定するステップと、
前記撮像部と前記表示部とを、前記光学素子媒体に対向配置し、概ね特定の位置に保持するステップと、
前記表示部において設定された複数の表示部位の少なくとも１つ毎を、順次表示させるステップと、
前記表示部位が順次表示されるのに応じて、前記撮像部において、前記光学素子媒体を撮像して画像を取得するステップと、
撮像された前記光学素子媒体の画像から、光学的特徴点のエリアを算出するステップと、前記順次表示する表示部位に応じた、前記画像の光学的特徴点の変化を光学的特徴点変化情報として記憶するステップと、
記憶された前記光学的特徴点変化情報を、予め設定された変位予想情報と比較するステップと、を有することを特徴とする光学素子媒体の判別方法。
【請求項２】
前記識別装置が、前記撮像部と前記表示部とを同一面に有することを特徴とする請求項１に記載の光学素子媒体の判別方法。
【請求項３】
前記光学的特徴点が、前記光学素子媒体の輝度情報、色相情報、濃淡情報のうち、１つ以上の情報からなることを特徴とする請求項１または請求項２のいずれかに記載の光学素子媒体の判別方法。
【請求項４】
前記光学素子媒体が、レリーフ構造を有することを特徴とする請求項１から請求項３のいずれかに記載の光学素子媒体の判別方法。
【請求項５】
前記順次表示される表示部位に応じて、表示する色相が任意に設定されることを特徴とする請求項１から請求項４のいずれかに記載の光学素子媒体の判別方法。
【発明の詳細な説明】
【技術分野】
【０００１】
本発明は、ホログラムなどの偽造防止効果を有する光学素子媒体を目視ではなく、識別装置を用いて、光学素子媒体が本物であるかどうかを判別する判別方法に関する。
【背景技術】
【０００２】
ホログラムに代表される光学素子媒体は、紙幣、商品券、さらにはクレジットカードなどの有価証券類のほか、ＩＤカードやパスポートといった個人認証用媒体の偽造あるいは複製による不正使用を防止するため、あるいは各種商品の偽造品流通を防止するためのツール、ないし商品価値を上げるための装飾性を高めるツールなどとして、広く活用されている。
【０００３】
従来、ホログラムなどを不正防止目的で使用する場合には、ホログラムなどが有する光学的な効果を目視で確認して、例えば立体感あるいは奥行き感のある画像が認識されるかどうか、更には正面から観察した時の画像と角度を変えて観察した時の画像とで色の変化や画像の変化があるかどうかを確認するといったような方法が一般的であった。
【０００４】
しかし、近年所謂ホログラムからなる光学素子媒体では、一見すると本物らしく見え、専門家が確認しないと贋物であると判定できないような場面も出てきている。
【０００５】
これは、一般のユーザは、各商材のホログラム画像の特徴や機能を熟知しているわけではなく、ホログラムらしきものが貼付されていれば、本物と認識してしまう可能性があるということを示している。
【０００６】
そこで、特許文献１に示すような、ホログラムを有する媒体に光を照射し、２方向の回折光を同時に取り込み、プリズムを介してホログラムが有する２つの画像を同時に確認する装置が提案されている。
【０００７】
しかし、このような装置は一般的なものではなく、一般ユーザが持ち歩くことはできない。そのため、特許文献２のように、広く普及しているスマートフォンなどを利用して真贋判定を実施する方法も提案されているが、この方法では判定時にスマートフォンを動かしながら撮影する必要があり、実施しにくいという課題があった。
【０００８】
また近年では、光源の動きにより観察される像や濃淡などが動いて見えるような効果を有する光学素子媒体が使われており、このような効果は、目視でのインパクトはあるものの、動きを定義しにくいため真贋判定が難しいという問題がある。
【先行技術文献】
【特許文献】
【０００９】
【特許文献１】特開２００６−３５０９９５号公報
【特許文献２】特許第６０９８７５９号公報
【発明の概要】
【発明が解決しようとする課題】
【００１０】
上述のような問題に対し、本発明では、特殊な判定装置を必要とせず、広く普及しているスマートフォンなどを活用して、簡便な操作で光学素子媒体の真贋判定を実施しようとするものである。
【課題を解決するための手段】
【００１１】
本発明はこれらの課題を解決すべくなされたものである。
すなわち、請求項１に記載の発明は、光学素子媒体を識別装置によって判別する方法であって、前記識別装置が、画像を取得する撮像部と、発光性を有する表示部とを、少なくとも備え、前記表示部において、任意の形状で局所のみ表示させる表示部位を複数設定するステップと、前記撮像部と前記表示部とを、前記光学素子媒体に対向配置し、概ね特定の位置に保持するステップと、前記表示部において設定された複数の表示部位の少なくとも１つ毎を、順次表示させるステップと、前記表示部位が順次表示されるのに応じて、前記撮像部において、前記光学素子媒体を撮像して画像を取得するステップと、撮像された前記光学素子媒体の画像から、光学的特徴点のエリアを算出するステップと、前記順次表示する表示部位に応じた、前記画像の光学的特徴点の変化を光学的特徴点変化情報として記憶するステップと、記憶された前記光学的特徴点変化情報を、予め設定された変位予想情報と比較するステップと、を有することを特徴とする光学素子媒体の判別方法である。
【００１２】
次に、請求項２に記載の発明は、前記識別装置が、前記撮像部と前記表示部とを同一面に有することを特徴とする請求項１に記載の光学素子媒体の判別方法である。
【００１３】
請求項３に記載の発明は、前記光学的特徴点が、前記光学素子媒体の輝度情報、色相情報、濃淡情報のうち、１つ以上の情報からなることを特徴とする請求項１または請求項２のいずれかに記載の光学素子媒体の判別方法である。
【００１４】
請求項４に記載の発明は、前記光学素子媒体が、レリーフ構造を有することを特徴とする請求項１から請求項３のいずれかに記載の光学素子媒体の判別方法である。
【００１５】
請求項５に記載の発明は、前記順次表示される表示部位に応じて、表示する色相が任意に設定されることを特徴とする請求項１から請求項４のいずれかに記載の光学素子媒体の判別方法である。
【発明の効果】
【００１６】
本発明によれば、光学素子媒体の真贋判定などの判別を誰でも簡便に実施することが可能となる。
【図面の簡単な説明】
【００１７】
【図１】本発明の一態様に係わる判別方法の例を模式的に示したイメージ図である。
【図２】本発明の一態様に係わる光学素子媒体の例を示す断面図である。
【図３】レリーフ構造が回折光を射出する例を示す概略図である。
【図４】本発明の一態様に係る識別装置の構成例を示すブロック図である。
【図５】本発明の一態様に係る判別方法の例を示すフロー図である。
【図６】本発明の一態様に係る判別方法の例を示す概念図である。
【図７】本発明の表示部位変化と光学的特徴点変位の例を示す平面図である。（Ａ）表示部位の変化例（Ｂ）輝度点の変位例
【発明を実施するための形態】
【００１８】
以下では、本発明の実施形態について図面を参照しながら説明するが、各図はそれぞれ一例を示しているにすぎず、これらに限定されるものではない。なお、各図において、同様又は類似した機能を発揮する校正要素には同一の参照符号を付し、重複する説明は省略する。
【００１９】
本発明の一態様に係わる判別方法の例を模式的に示したイメージ図である。
【００２０】
本発明の識別装置（１０）は、撮像部（１１）と表示部（１２）とを同一面に備え、これらを備えた面を、光学素子媒体（２０）に対し、対向配置させ、概ね特定の位置に保持される。その後、表示部（１２）において、予め設定された複数の表示部位（１３）を、少なくとも１つ毎に、順次表示させる。
【００２１】
この時、各表示部位（１３）から、光学素子媒体（２０）に対して、光照射（１４）されることが重要であり、表示部（１２）は発光性を有する必要がある。そのため、表示部（１２）は、バックライトを有する液晶ディスプレイやＥＬディスプレイ、ＬＥＤディスプレイ等であることが望ましい。
【００２２】
また、表示部位（１３）は、その表示形状や面積、色相等は特に限定されるものではなく、対象となる光学素子媒体（２０）の特性に応じて、任意に設定することができる。また表示部位（１３）の数も２つ以上であれば、特に限定されるものではなく、対象となる光学素子媒体（２０）の特性に応じて、任意に設定するが可能である。
【００２３】
上述のように、光学素子媒体（２０）に対して特定の位置に概ね保持された表示部（１２）より、表示部位（１３）から照射される光は、表示部位（１３）が順次入れ替わって表示されることにより、それぞれ異なる位置から光学素子媒体（２０）に光が照射されることになる。
【００２４】
このため、光学素子媒体（２０）は、常に一定の方向から目視観察した場合、入射された光の方向に応じて、光学素子媒体（２０）の視覚効果が変化し、設けられている絵柄や輝度点の動きや、色相の変化などとして認識することができる。
【００２５】
このような視覚効果の変化を、概ね固定された撮像部（１１）によって、画像として取り込みがなされ、得られた画像情報から、輝度情報、色相情報、濃淡情報などからなる光学的特徴点の抽出を実施し、この光学的特徴点の変位の様子を光学的特徴点変位情報として記憶する。
【００２６】
そして、記録された光学的特徴点変位情報を予め設定された変位予測情報と比較することにより、その光学的特徴点の変位の様子が、真正品に特有のものであるかどうかをチェックすることが可能となる。
【００２７】
ここで、真正品であるかどうかの判定対象となる光学素子媒体（２０）は、照射される光の方向に応じて、視認される画像に変化が見られるものであれば、いずれも用いることができ、例えば、マイクロレンズアレイや、フレネルレンズ、レンチキュラーレンズなどの各種レンズ構造を応用したもの、多層構造や高さあるいは深さの異なる複数の平面構造などからなる光の干渉を応用したもの、方向性を有する複数の凹凸構造（レリーフ構造）からなる指向性散乱を応用したもの、更にはホログラムに代表されるような光の回折を伴うものなど、任意の光学素子媒体を例示することができる。
【００２８】
図２は、光学素子媒体（２０）として、レリーフ構造（２４）を有する媒体の構成例を示している。
【００２９】
図２に示した光学素子媒体（２０）は、基材（２１）、レリーフ構造形成層（２２）、反射層（２３）からなっている。
【００３０】
基材（２１）は、特に限定されるものではなく、紙類やガラスをはじめ、ポリエチレンテレフタレート、ポリエチレンナフタレートなどのポリエステル樹脂、ポリカーボネート
樹脂、ポリイミド樹脂、ポリプロピレンなどのポリオレフィン樹脂、アクリル系樹脂、塩化ビニル、ポリビニルアルコールなどのビニル系樹脂、トリアセチルセルロースなどのセルロース系樹脂などの各種樹脂素材などを例示することができる。
【００３１】
基材（２１）は、単層構造を有していても良く、多層構造を有していても良い。更に、基材（２１）には、反射防止処理、低反射防止処理、ハードコート処理、帯電防止処理および防汚処理、あるいは易接着処理などの各種処理を施してあっても良い。
【００３２】
レリーフ構造形成層（２２）は、熱可塑性樹脂、熱硬化性樹脂、放射線硬化性樹脂などから構成することができる。
【００３３】
レリーフ構造形成層（２２）として、熱可塑性樹脂を用いる場合には、例えばアクリル系樹脂、エポキシ系樹脂、セルロース系樹脂、ビニル系樹脂などや、これらの混合物、またはこれらの共重合体などを使用することができる。
【００３４】
また、熱硬化性樹脂を用いる場合には、例えば、アクリル系ポリオール樹脂やポリエステル系ポリオール樹脂などのポリオール系樹脂とイソシアネート化合物との架橋反応によって形成されるウレタン系樹脂、メラミン系樹脂、エポキシ系樹脂、フェノール系樹脂などや、これらの混合物、またはこれらの共重合物を使用することができる。
【００３５】
あるいは、放射線硬化性樹脂を用いる場合には、放射線硬化性樹脂は、典型的には、重合性化合物と開始剤とを含んでいる。
【００３６】
重合性化合物としては、例えば、光ラジカル重合が可能な化合物を使用する。具体的には、エチレン性不飽和結合またはエチレン性不飽和基を有したモノマー、オリゴマーまたはポリマーを使用することができる。あるいは光ラジカル重合が可能な化合物として、１，６−ヘキサンジオール、ネオペンチルグリコールジアクリラート、トリメチロールプロパントリアクリラート、ペンタエリスリトールアクリラート、ペンタエリスリトールテトラアクリラート、ペンタエイスリトールペンタアクリラートおよびジペンタエリスリトールヘキサアクリラート等のモノマー、エポキシアクリラート、ウレタンアクリラートおよびポリエステルアクリラート等のオリゴマー、またはウレタン変性アクリル樹脂およびエポキシ変性アクリル樹脂等のポリマーなどを使用してもよい。
【００３７】
重合性化合物として光ラジカル重合が可能な化合物を使用する場合、開始剤としては、光ラジカル重合開始剤を使用することができる。
【００３８】
この光ラジカル重合開始剤としては、例えば、ベンゾイン、ベンゾインメチルエーテルおよびベンゾインエチルエーテル等のベンゾイン系化合物、アントラキノンおよびメチルアントラキノン等のアントラキノン系化合物、アセトフェノン、ジエトキシアセトフェノン、ベンゾフェノン、ヒドロキシアセトフェノン、１−ヒドロキシシクロヘキシルフェニルケトン、α−アミノアセトフェノンおよび２−メチル−１−（４−メチルチオフェニル）−２−モリホリノプロパン−１−オン等のフェニルケトン系化合物、ベンジルジメチルケタール、チオキサントン、アシルホスフィンオキサイド、または、ミヒラーズケトンなどを使用することができる。
【００３９】
あるいは、重合性化合物として、光カチオン重合が可能な化合物を使用してもよい。光カチオン重合が可能な化合物としては、例えば、エポキシ基を備えたモノマー、オリゴマーもしくはポリマー、キセタン骨格含有化合物、または、ビニルエーテル類を使用する。
【００４０】
重合性化合物として光カチオン重合が可能な化合物を使用する場合、開始剤としては、
光カチオン重合開始剤を使用する。この光カチオン重合開始剤としては、例えば、芳香族ジアゾニウム塩、芳香族ヨードニウム塩、芳香族スルホニウム塩、芳香族ホスホニウム塩または混合配位子金属塩を使用する。
【００４１】
あるいは、重合性化合物として、光ラジカル重合が可能な化合物と光カチオン重合が可能な化合物との混合物を使用してもよい。
【００４２】
この場合、開始剤としては、例えば、光ラジカル重合開始剤と光カチオン重合開始剤との混合物を使用する。あるいは、この場合、光ラジカル重合および光カチオン重合の双方の開始剤として機能しうる重合開始剤を使用してもよい。
【００４３】
このような開始剤としては、例えば、芳香族ヨードニウム塩または芳香族スルホニウム塩を使用する。
【００４４】
尚、放射性硬化樹脂に占める開始剤の割合は、例えば、０．１から１５重量％の範囲内とする。
【００４５】
また、重合開始剤を使用しない例として、電子線照射により重合性化合物の重合反応を引き起こす方法を用いてもよい。
【００４６】
前記放射線硬化樹脂は、増感色素、染料、顔料、重合禁止剤、レベリング剤、消泡剤、タレ止め剤、付着向上剤、塗面改質剤、可塑剤、含窒素化合物、エポキシ樹脂等の添加剤、離型剤またはこれらの組合せを更に含んでいてもよい。
【００４７】
また、放射線硬化樹脂には、その成形性を向上させるべく、非反応性の樹脂を更に含有させてもよい。この非反応性の樹脂としては、例えば、前記熱可塑性樹脂や熱硬化性樹脂などを単独または混合物として用いることができる。
【００４８】
このようなレリーフ構造形成層（２２）は、基材（２１）と同一の材料を用いて、一体として形成されてあっても何ら問題ない。
【００４９】
上述のようなレリーフ構造形成層（２２）にレリーフ構造（２４）を形成する方法としては、例えば、金属表面にレリーフ構造を設けた原版を用いて、熱圧転写方式などによって、レリーフ構造（２４）を容易に形成することができる。
【００５０】
反射層（２３）としては、例えば、アルミニウム、銅、銀、クロム、及びそれらの合金などの金属材料からなる金属層を使用することができる。
【００５１】
また、反射層（２３）として、レリーフ構造形成層（２２）とは屈折率が異なる誘電体層、具体的には、Ｓｂ２Ｓ３、Ｆｅ２Ｏ３、ＴｉＯ２、ＣｄＳ、ＣｅＯ２、ＺｎＳ、ＰｂＣｌ２、ＣｄＯ、Ｓｂ２Ｏ３、ＷＯ３、ＳｉＯ、Ｓｉ２Ｏ３、Ｉｎ２Ｏ３、ＰｂＯ、Ｔａ２Ｏ３、ＺｎＯ、ＺｒＯ２、Ｃｄ２Ｏ３、Ａｌ２Ｏ３などの金属化合物からなる誘電体などを使用しても良い。
【００５２】
あるいは、反射層（２３）として、隣り合うもの同士の屈折率が異なる誘電体層の積層体、すなわち誘電体多層膜を使用しても良い。但し、誘電体多層膜が含む誘電体層のうちレリーフ構造形成層（２２）と接触しているものの屈折率は、レリーフ構造形成層（２２）の屈折率とは異なっているのが好ましい。
【００５３】
また、反射層（２３）は蒸着あるいはスパッタリング法等で形成された後、マスク印刷
層やフォトレジストを用いてパターン状マスク層を形成した後、エッチング溶液等によりエッチングを行う化学エッチング法などを用いて、パターン状に形成しても良い。
【００５４】
あるいは、水溶性樹脂からなるインキによってレリーフ構造形成層（２２）上にパターン印刷を施した後、蒸着法あるいはスパッタリング法等で反射層（２３）を設け、その後水溶性樹脂も含めて水洗処理する水性エッチング法などを用いて、反射層（２３）をパターン化しても良い。
【００５５】
反射層（２３）のパターン形成法はこれらに限定されるものではなく、従来公知の任意の方法でパターンを形成することが可能である。
【００５６】
上述のようにして得られる光学素子媒体（２０）は、単独で用いられても良いし、感熱接着層や感圧接着層などを設けて、任意の物品に貼着して用いられてあっても良い。
【００５７】
また、光学素子媒体（２０）は、基材（２１）とレリーフ構造形成層（２２）との間に剥離層を設け、転写箔として用いられても良く、光学素子媒体（２０）のいずれかの層間には、中間層、着色層、アンカー層、印刷層など任意の層が設けられてあっても何ら問題ない。
【００５８】
更に、光学素子媒体（２０）には、個々の光学素子媒体（２０）を識別することが可能なユニークコードやナンバリングなどが設けられてあっても良く、これらのユニークコードやナンバリングは、後述する識別装置によって、真正品か否かの判別と同時に読み取りがなされても良い。
【００５９】
図３には、上述のような光学素子媒体（２０）に設けられたレリーフ構造（２４）が光の回折を伴う場合を例として、光回折について説明するための図である。
【００６０】
図３に示す様に、レリーフ構造（２４）において、隣接する凹部または凸部の中心間距離が一定である時、このレリーフ構造（２４）に光を照射すると、入射光（ＩＬ）の進行方向に対して、特定の方向に回折光（ＤＬ）を射出する。
【００６１】
一般的に回折光に関しては、以下の式で表すことができる。
ｄ（ｓｉｎα±ｓｉｎβ）＝ｎλ  …  （１）
【００６２】
この等式（１）において、ｄは凹部または凸部の中心間距離を表し、λは入射光（ＩＬ）および回折光（ＤＬ）の波長を表している。また、αは入射光（ＩＬ）の入射角を、βは回折光（ＤＬ）の射出角を表しており、ｎは次数であり、最も代表的な回折光は、１次回折光であることから、ｎ＝１と考えることができる。
【００６３】
ここで、入射角αは、０次回折光すなわち正反射光（ＲＬ）の射出角と同じと考えることができ、また、α、βは、表示体に対する法線方向（ＮＬ）から時計回りの方向を正方向とする。
【００６４】
よって、等式（１）は以下の式となる。
ｄ（ｓｉｎα＋ｓｉｎβ）＝λ  …  （２）
すなわち
ｓｉｎβ  ＝（λ−ｄｓｉｎα）／ｄ  …  （３）
【００６５】
従って、凹部または凸部の中心間距離ｄを一定とし、観察する光の波長λを一定とすると、入射角αを変化させることにより１次回折光（ＤＬ）の射出角βが変化することとな
るため、概ね固定された位置から観察した場合に、異なる色相や画像が認識されることとなる。
【００６６】
図４は、上述のような光学素子媒体（２０）を判別するための識別装置（１０）の例を説明するためのブロック図であり、図５は、識別装置（１０）を用いて光学素子媒体（２０）を判別する手法を示したフロー図である。
【００６７】
図４に示した識別装置（１０）は、撮像部（１１）と、表示部（１２）と、これらを制御するための制御部（１５）とがあり、制御部（１５）には例えば、記憶部（１６）、演算部（１７）などがある。
【００６８】
また、必要に応じて、ユーザ（３０）に対して、識別装置（１０）の操作を促すための音声発生部（１８）が、設けられてあって良い。
【００６９】
また、識別装置（１０）は、通信機能を有し、必要に応じてインターネット等を経由してサーバーにアクセスするなどの機能を有していることが望ましい。
【００７０】
識別装置（１０）によって光学素子媒体（２０）の判別を実施するに当たり、対象とする光学素子媒体（２０）がどのタイプの光学素子媒体であるのかを選択（Ｓ１）して、識別装置（１０）に入力する。
【００７１】
この際、対象となる光学素子媒体のタイプに関する情報は、識別装置（１０）内の記憶部（１６）に記憶されてあっても良いし、サーバー側に記憶されている情報にアクセスする方法がとられても良い。
【００７２】
また、識別装置（１０）に対する選択情報の入力方法は、表示部（１２）上に設けたタッチパネルによって行う方法などを用いることができるが、音声による入力、あるいはキーボードやマウスによる入力方法が用いられても何ら問題ない。
【００７３】
また、撮像部（１１）により、光学素子媒体（２０）や光学素子媒体（２０）が取り付けられた物品を撮像し、その特徴やユニークコード、ナンバリングなどを抽出することによって、選択情報の入力がなされても良い。
【００７４】
選択された光学素子媒体（２０）のタイプに応じて、表示部（１２）によって表示されるべき表示部位（１３）を決める表示部位選定（Ｓ２）がなされる。表示部位選定（Ｓ２）は、光学素子媒体（２０）のタイプに応じて、予め設定されていることが望ましく、例えば、サーバー内に、光学素子媒体のタイプに紐付けされた情報として、複数の表示部位（１３）、ならびに、表示する順番、表示時間等が格納され、サーバーにアクセスしながら識別装置（１０）の操作を行ってもよいし、一旦、サーバー側から識別装置（１０）内の記憶部（１６）に関連情報を記憶させて、識別装置（１０）を操作する方法がとられても良い。
【００７５】
次いで、識別装置（１０）の撮像部（１１）ならびに表示部（１２）を、光学素子媒体（２０）に対して対向するように、識別装置設置（Ｓ３）が行われる。
【００７６】
ここで、撮像部（１１）から得られる光学素子媒体（２０）と識別装置（１０）との位置関係から、撮像位置確認（Ｓ４）を実施し、識別装置（１０）の設置位置を移動することが好ましいと判断された場合には、ユーザー（３０）に対し、移動方向指示（Ｓ５）が成される。
【００７７】
移動方向指示（Ｓ５）の方法としては、識別装置（１０）に第２の表示部を設けて、指示がなされても良いし、音声発生部（１８）から指示がなされても良い。
【００７８】
光学素子媒体（２０）の撮像位置が適性であると確認（Ｓ４）されると、表示部位（１３）を順次変化させて表示しながら光学素子媒体（２０）の撮像（Ｓ６）が実施される。
【００７９】
この時、撮像等が開始されることを、ユーザー（３０）に対し、告知する手段がとられても何ら問題ない。
【００８０】
撮像にあたっては、例えば、図６に示すにように、表示部位（１３）を表示部位ａ（１３ａ）から表示部位ｅ（１３ｅ）に順次変化させながら、撮像を実施する。
【００８１】
撮像された光学素子媒体（２０）の画像における光学的特徴点を、例えば、輝度点（２５）であるとした時、この輝度点（２５）のエリアが、例えば図６に示すように輝度点ａ（２５ａ）から輝度点ｅ（２５ｅ）に順次変位して観察されることとなる。
【００８２】
よって、表示部位ａ（１３ａ）が表示（Ｓ８）された時の光学素子媒体（２０）を撮像（Ｓ９）し、光学素子媒体（２０）画像から抽出された光学的特徴点である輝度点ａ（２５ａ）のエリアが算出（Ｓ１０）されることで、表示部位ａにおける撮像、ならびに輝度点ａのエリア算出がなされる（Ｓ７）。
【００８３】
同様に、表示部位ｂ（１３ｂ）以下についても撮像、ならびにエリアの算出が実施（Ｓ１１など）され、各表示部位（例えば、表示部位ａ〜表示部位ｅ）における光学的特徴点（例えば、輝度点ａ〜輝度点ｅ）の変化情報が収集される。
【００８４】
光学的特徴点の変化情報としては、例えば、図７に示すように、表示部位変化方向（１３Ｍ）に応じた、輝度点変位方向（２５Ｍ）として認識される。
【００８５】
ここで言う輝度点変位方向（２５Ｍ）とは、必ずしも個々の位置情報をデジタル化した情報やベクトル情報等に変換された情報に限定されるものではなく、連続する画像情報として認識されてあっても良い。
【００８６】
また、光学素子媒体（２０）画像から得られる光学的特徴点は、必ずしも単一の輝度点（例えば、輝度点ａ、輝度点ｂ、・・・）である必要はなく、絵柄の形状や濃淡、色相などの変化として捉えられてあっても何ら問題なく、光学特徴点変化情報は、必ずしも輝度点変位方向（２５Ｍ）のような位置の変化情報に限定されるものではなく、色相の変化や、濃淡の変化、絵柄の像の形状変化として捉えたものであっても何ら問題ない。
【００８７】
上述の様にして得られた光学的特徴点変化情報は、予め設定され記憶部（１６）あるいはサーバーに格納されている変位予想情報（Ｓ１５）と比較（Ｓ１６）され、一致するかどうかの判別が実施される。
【００８８】
光学的特徴点変化情報が、変位予想情報（Ｓ１５）と一致した場合には、判別対象の光学素子媒体（２０）が真正品（Ｓ１７）であると判断され、ユーザー（３０）に対して、真正品である旨を告知して、光学素子媒体（２０）の判別作業を終了することができる。
【００８９】
ユーザー（３０）に対する告知方法は、表示部（１２）や、第２の表示部、さらには音声発生部など任意の告知方法を採用することができ、これらの２つ以上の告知方法が併用されてあっても良い。
【００９０】
また、光学的特徴点変化情報と変位予想情報（Ｓ１５）が一致しない場合には、真正品で無い（Ｓ１８）と判断して、真正品で無い旨を真正品の場合と同様の手段によってユーザー（３０）に告知し、判別作業を終了しても良いし、再度、判別作業に戻っても良い。
【００９１】
以上のように、本発明の判別方法を用いることにより、目視では真正品であるか否かの判定が困難な光学素子媒体に対し、特定の位置からの撮像を実施するだけの操作によって簡便に判定することが可能となる。
【符号の説明】
【００９２】
１０  …  識別装置
１１  …  撮像部
１２  …  表示部
１３、１３ａ、１３ｂ、１３ｃ、１３ｄ、１３ｅ  …  表示部位
１３Ｍ…  表示部位変化方向
１４  …  照射光
１５  …  制御部
１６  …  記憶部
１７  …  演算部
１８  …  音声発生部
２０  …  光学素子媒体
２１  …  基材
２２  …  レリーフ構造形成層
２３  …  反射層
２４  …  レリーフ構造
２５、２５ａ、２５ｂ、２５ｃ、２５ｄ、２５ｅ  …  輝度点
２５Ｍ…  輝度点変化方向
３０  …  ユーザ
ＬＳ  …  光源
ＩＬ  …  入射光
ＤＬ  …  １次回折光
ＲＬ  …  ０次回折光（正反射光）
ＮＬ  …  法線
α、β…  角度
Ｓ１  …  判別対象の光学素子媒体の選択
Ｓ２  …  表示部位選定
Ｓ３  …  識別装置設置
Ｓ４  …  撮像位置確認
Ｓ５  …  移動方向指示
Ｓ６  …  表示部位変化及び撮像
Ｓ７  …  表示部位ａにおける撮像、ならびに輝度点ａのエリア算出
Ｓ８  …  表示部位ａの表示
Ｓ９  …  撮像
Ｓ１０…  輝度点ａのエリア算出
Ｓ１１…  表示部位ｂにおける撮像、ならびに輝度点ｂのエリア算出
Ｓ１２…  表示部位ｂの表示
Ｓ１３…  撮像
Ｓ１４…  輝度点ｂのエリア算出
Ｓ１５…  変位予想情報
Ｓ１６…  光学的特徴点変化情報が一致するか
Ｓ１７…  真正品
Ｓ１８…  真正品で無い
【図１】
2019144987.tif 000003
【図２】
2019144987.tif 000004
【図３】
2019144987.tif 000005
【図４】
2019144987.tif 000006
【図５】
2019144987.tif 000007
【図６】
2019144987.tif 000008
【図７】
2019144987.tif 000009